(57)【要約】【課題】吸収体が柔軟に変形するとともに表面シートにシワが生じにくく、着用者の身体に対するフィット性に優れるとともに、装着感や漏れ防止性にも優れている吸収性物品を提供すること。【解決手段】液透過性の表面シート２、裏面シート３及びこれら両シート間に位置する吸収体４を備えた縦長の吸収性物品１であって、表面シート２は、一方向に連続して延び且つ吸収体までは及ばない複数の線状の圧搾凹部２１、及び該圧搾凹部２１間に形成された中実の凸部２３を有しており、圧搾凹部２１における坪量と凸部部分２４における坪量とが同じであり且つ圧搾凹部２１における密度が凸部部分２４における密度より高密度であり、吸収体４は、圧搾凹部２１と平行に且つ該圧搾凹部２１と重ならずに連続して延びる隙間構造４４を有し、隙間構造４４は、平面視において圧搾凹部２１，２１間に位置し前記凸部部分２４と重なっている。【選択図】図１
2015100574.tif 000002
【特許請求の範囲】
【請求項１】
液透過性の表面シート、裏面シート及びこれら両シート間に位置する吸収体を備えた縦長の吸収性物品であって、
前記表面シートは、一方向に連続して延び且つ前記吸収体までは及ばない複数の線状の圧搾凹部、及び該圧搾凹部間に形成された中実の凸部を有しており、前記圧搾凹部における坪量と前記凸部部分における坪量とが同じであり且つ前記圧搾凹部における密度が前記凸部部分における密度より高密度であり、
前記吸収体は、前記圧搾凹部と平行に且つ該圧搾凹部と重ならずに連続して延びる隙間構造を有し、該隙間構造は、平面視において該圧搾凹部間に位置し前記凸部部分と重なっている、吸収性物品。
【請求項２】
前記吸収体は、坪量が相対的に高い複数の高坪量部と坪量が相対的に低い線状の低坪量部とを有する吸収性コアを有し、該低坪量部が前記隙間構造である、請求項１に載の吸収性物品。
【請求項３】
前記圧搾凹部として、吸収性物品の長手方向中心線と平行な直線に対する傾斜角度が４５度未満の圧搾凹部、又は該長手方向中心線と平行な圧搾凹部を有する、請求項１又は２に記載の吸収性物品。
【請求項４】
吸収性物品の長手方向中心線と平行な直線に対する傾斜角度が４５度以下の圧搾凹部として、前記一方向に延びる第１線状圧搾凹部及び前記一方向とは異なる方向に延びる第２線状圧搾凹部を有し、前記吸収体が、第１線状圧搾凹部及び第２線状圧搾凹部のそれぞれに対応する隙間構造を有する、請求項３に記載の吸収性物品。
【請求項５】
第１線状圧搾凹部と第２線状圧搾凹部との交差角度が９０度未満である、請求項４に記載の吸収性物品。
【請求項６】
吸収性物品の長手方向中心線の両側それぞれに、前記表面シート及び前記吸収体が一体的に圧縮された防漏溝を有し、吸収性物品の長手方向中心線と平行な直線に対する傾斜角度が４５度未満の圧搾凹部に対応する隙間構造が、該防漏溝を横断して該防漏溝の内外に延在している、請求項３又は４に記載の吸収性物品。
【請求項７】
前記吸収性コアは、前記高坪量部と前記低坪量部とに亘って連続する連続層を有し、該高坪量部が、前記裏面シート側に突出する突出部を形成している、請求項２に記載の吸収性物品。
【請求項８】
前記吸収性コアは、前記高坪量部と前記低坪量部とに亘って連続する連続層を有し、該高坪量部は、前記表面シート側に突出する突出部を形成している、請求項２に記載の吸収性物品。
【発明の詳細な説明】
【技術分野】
【０００１】
本発明は、生理用ナプキン、失禁パッド等の吸収性物品に関する。
【背景技術】
【０００２】
生理用ナプキン等の吸収性物品の吸収体として、坪量が相対的に高い高坪量部を、吸収性物品の縦横両方向にそれぞれに複数形成し、高坪量部どうし間を、坪量が相対的に低い線状の低坪量部としたものが知られている（特許文献１，２参照）。このような吸収体は、低坪量部に沿って曲がり易く、例えば、着用者の肌の凹凸形状に沿うように変形し易くなる等の利点がある。
【０００３】
また、縦長の吸収体に、長手方向及び幅方向とは異なる２方向以上の方向に沿ってスリットを形成して、生理用ナプキンの身体に対するフィット性を高める技術が提案されている（特許文献３参照）。
【先行技術文献】
【特許文献】
【０００４】
【特許文献１】特開２０１２−１２５３５４号公報
【特許文献２】特開２０１２−２３９７２１号公報
【特許文献３】特開２０１３−１５４０１７号公報
【発明の概要】
【発明が解決しようとする課題】
【０００５】
特許文献１，２の技術によれば、前述のように、吸収体の柔軟性が向上するが、その反面、吸収体を覆う表面シートにシワが発生し易くなり、場合によっては、シワがヨレや漏れにつながったり、見栄えが悪くなる。また、特許文献２には、表面シートとして、畝溝構造を有する表面シートを用いることが記載され、特許文献２の図５には、その表面シートの畝部とともに畝部間の溝部も、吸収体の高坪量部上に位置する例が示されているが、特許文献２の表面シートは、畝部における坪量が畝部間の溝部における坪量よりも低くなっている。
特許文献３にも、スリットが形成された吸収体を覆う表面シートにシワが生じなくなるようにする工夫は開示されていない。また、特許文献３の生理用ナプキンは、表面シート及び吸収体に一体的にエンボス加工を施して形成したフィットエンボスを有することが必須である一方、前述した２方向以上の方向に沿うスリットを、そのフィットエンボスと交差させていないため、スリットによる柔軟性向上効果も十分とは言えない。
【０００６】
したがって本発明の課題は、前述した従来技術が有する欠点を解消し得る吸収性物品を提供することにある。
【課題を解決するための手段】
【０００７】
本発明は、液透過性の表面シート、裏面シート及びこれら両シート間に位置する吸収体を備えた縦長の吸収性物品であって、前記表面シートは、一方向に連続して延び且つ前記吸収体までは及ばない複数の線状の圧搾凹部、及び該圧搾凹部間に形成された中実の凸部を有しており、前記圧搾凹部における坪量と前記凸部部分における坪量とが同じであり且つ前記圧搾凹部における密度が前記凸部部分における密度より高密度であり、前記吸収体は、前記圧搾凹部と平行に且つ該圧搾凹部と重ならずに連続して延びる隙間構造を有し、該隙間構造は、平面視において該圧搾凹部間に位置し前記凸部部分と重なっている、吸収性物品を提供するものである。
【発明の効果】
【０００８】
本発明の吸収性物品は、吸収体が柔軟に変形するとともに表面シートにシワが生じにくく、着用者の身体に対するフィット性に優れるとともに、装着感や漏れ防止性にも優れている。
【図面の簡単な説明】
【０００９】
【図１】図１は、本発明の第１実施形態である生理用ナプキンを示す平面図である。
【図２】図２は、図１に示す生理用ナプキンの幅方向中央部のＩＩ−ＩＩ線断面図である。
【図３】図３は、図１に示す生理用ナプキンに用いた表面シートを示す斜視図である。
【図４】図４は、図１に示す生理用ナプキンの肌対向面の部分拡大平面図である。
【図５】図５は、本発明の第２実施形態である生理用ナプキンの図２相当図である。
【図６】図６（ａ）〜図６（ｃ）は、本発明の更に他の実施形態の示す模式図である。
【発明を実施するための形態】
【００１０】
以下本発明を、その好ましい実施形態に基づき図面を参照しながら説明する。
本発明の吸収性物品の第１実施形態としての生理用ナプキン１（以下、単にナプキン１ともいう）は、図１に示すように、着用者の前後方向に対応する方向に長い形状の吸収性本体５と、一対のウイング部７，７と、一対の後方フラップ部８，８とを有している。生理用ナプキン等の吸収性物品に関し、「長手方向」とは、着用時に着用者の前後方向と一致する方向であり、「幅方向」は、長手方向に直交する方向である。
ナプキン１は、長手方向Ｘに、前方部Ａ、液排泄部対向部Ｂ及び後方部Ｃを有しており、液排泄部対向部Ｂにおける吸収性本体５の左右両側に一対のウイング部７，７、後方部Ｃにおける吸収性本体５の左右両側に一対の後方フラップ部８，８を有している。
【００１１】
本発明の吸収性物品において、排泄部対向部Ｂは、幅方向の中央部に、着用者の液排泄部（膣口等）が対向配置される部分であり、前方部Ａは、液排泄部対向部Ｂより着用者の前側（腹側）に配される部分であり、後方部Ｂは、液排泄部対向部Ｂより着用者の背中側に配される部分である。排泄部対向部Ｂは、本実施形態のナプキン１のようにウイング部を有する場合には、吸収性物品の前後方向（吸収性本体の長手方向に同じ。図中のＸ方向）においてウイング部を有する領域（ウイング部の前後方向一方側の付け根と他方側の付け根とに挟まれた領域）である。ウイング部を有しない吸収性物品における排泄部対向部は、吸収性物品が３つ折りの個装形態に折り畳まれた際に生じる、該吸収性物品を横方向（吸収性物品の幅方向、図中のＹ方向）に横断する２本の折曲線（図示せず）について、該吸収性物品の長手方向の前端から数えて第１折曲線と第２折曲線とに囲まれた領域である。また、本明細書において、肌対向面は、吸収性物品又はその構成部材における着用時に着用者の肌側に向けられる面であり、非肌対向面は、吸収性物品又はその構成部材における着用時に着用者の肌側とは反対側（通常、衣類側）に向けられる面である。
【００１２】
ナプキン１は、図２に示すように、液透過性の表面シート２、液難透過性の裏面シート３及びこれら両シート間に位置する吸収体４を有している。液難透過性は、液不透過性と液難透過性とを包括する。また、ナプキン１の両側部には、一対のサイドシート６，６が配されている。サイドシート６は、ナプキン１の側縁側に位置する端部から長手方向中心線ＣＬ側の側縁部を除く該側縁部近傍まで表面シート２と固定されており、表面シート２の側縁部から体液が漏出することを防止することができる。ナプキン１では、サイドシート６の長手方向中心線ＣＬ側の側縁は非肌当接面側に折り返された二重の構造をとっており、表面シート２とサイドシート６の間に空間を作り易くなっていて、確実に体液の漏出を防止する観点、柔らかく肌に接しても肌を傷つけにくい観点からより好ましい。また、サイドシート６は、物品長手方向中心線ＣＬ寄りの端縁近傍に、立体ガード形成用の弾性部材（図示せず）を有しており、着用時には、その弾性部材の収縮力により、排泄部対向部Ｂにおける、前記端縁から所定幅の部分が表面シート２から離間した立体ガードが形成され、より確実に体液の漏出を防止することが可能である。なお、サイドシートの折り返し構造や、弾性部材は省略可能である。
【００１３】
表面シート２は、図３に示すように、肌対向面２ａに、複数本の線状の圧搾凹部２１を有している。圧搾凹部２１は、表面シート２のみに熱エンボス加工を施して形成されたものであり、図２に示すように、吸収体４までは及んでいない。他方、表面シート２の非肌対向面２ｂは、平坦となっているか、多少凹凸があっても、その凹凸の程度が、肌対向面２ａに比して明らかに小さい。
より具体的に説明すると、表面シート２は、図４に示すように、線状の圧搾凹部２１として、互いに平行に且つ所定の間隔で形成された多数本の第１線状圧搾凹部２１ａと、互いに平行に且つ所定の間隔で形成された多数本の第２線状圧搾凹部２１ｂとを有しており、第１線状圧搾凹部２１ａと第２線状圧搾凹部２１ｂが角度αをなして互いに交差している。
【００１４】
また、第１線状圧搾凹部２１ａどうし間及び第２線状圧搾凹部２１ｂどうし間には、肌対向面２ａ側に突出した中実の凸部２３が形成されている。本実施形態における第１線状圧搾凹部２１ａ及び第２線状圧搾凹部２１ｂは、図１に示すように、互いに交差して延び、格子状の全体形状をなすように形成されている。そのため、表面シート２には、圧搾凹部２１によって区画化された平面視菱形形状の区画領域２２，２２・・が形成され、各区画領域２２内に、該区画領域２２を囲む圧搾凹部２１に対して相対的に隆起した凸部２３が形成されている。凸部２３の内部は、表面シート２を構成する繊維で満たされている。
【００１５】
本実施形態の表面シート２においては、圧搾凹部２１が、前述の通り熱エンボス加工により形成されたものであり、そのため、表面シート２は、圧搾凹部２１における坪量と凸部２３を有する部分２４（凸部部分）における坪量とが同じであり、また、圧搾凹部２１における密度が凸部部分２４における密度より高密度となっている。
第１線状圧搾凹部２１ａは、ナプキン１の長手方向中心線ＣＬと平行な直線Ｌｘに対する傾斜角度θａが４５度未満であり、第２線状圧搾凹部２１ｂは、ナプキン１の長手方向中心線ＣＬと平行な直線Ｌｘに対する傾斜角度θｂが４５度未満である。ただし、第１線状圧搾凹部２１ａと第２線状圧搾凹部２１ｂとでは、前記直線Ｌｘに対する傾斜の向きが異なり、第１線状圧搾凹部２１ａは、ナプキンの前方から後方に向かうに連れて吸収体４の幅方向の一端（右端）に近づくように傾斜しているのに対して、第２線状圧搾凹部２１ｂは、ナプキンの前方から後方に向かうに連れて該吸収体４の幅方向の他端（左端）に近づくように傾斜している。
【００１６】
表面シート２に形成する線状の圧搾凹部２１の幅Ｗ１は、確実に圧搾凹部が形成される観点から、好ましくは０．１ｍｍ以上、より好ましくは０．３ｍｍ以上、更に好ましくは０．５ｍｍ以上である。また、圧搾凹部２１の幅Ｗ１は、過剰に圧搾することで表面シート２が硬くなり、使用者が着用中に違和感を感じることを防止する観点から、好ましくは１．５ｍｍ以下、より好ましくは１．２ｍｍ以下であり、更に好ましくは１．０ｍｍ以下である。圧搾凹部２１の幅Ｗ１は、より具体的には、０．１ｍｍ以上１．５ｍｍ以下が好ましく、０．３ｍｍ以上１．２ｍｍ以下がより好ましく、０．５ｍｍ以上１．０ｍｍ以下が更に好ましい。
【００１７】
表面シート２としては、単層構造の不織布からなり、その構成繊維どうしが熱エンボス加工により一体化している圧搾凹部を有するものであっても良いし、２層以上の繊維層を有し、それらが、熱エンボス加工により一体化している圧搾凹部を有するものであっても良い。
２層構造の表面シートとしては、上層が、加熱により伸長する熱伸長性複合繊維を含み、下層が、該熱伸長性複合繊維を含まないか又は上層より少量の該熱伸長性複合繊維を含んでいるシート中間体に、熱エンボス加工を施して圧搾凹部２１を形成した後、熱伸長性複合繊維を伸長させる熱風処理等の加熱処理を施すことによって上層側に、隆起の程度の大きい凸部２３を形成したものや、下層が、加熱により熱収縮する熱収縮性繊維を含み、上層が、熱収縮性繊維を含まないか又は下層より少量の熱収縮性繊維を含んでいるシート中間体に、熱収縮性繊維を収縮させる熱風処理等の加熱処理を施すことによって上層側に、隆起の程度の大きい凸部２３を形成したもの等を用いることもできる。前者の表面シートの例としては、特開２０１０−１４８７３０号公報、特開２０１１−１３７２６２号公報等に記載のもの等を例示でき、後者の表面シートの例としては、特開２００３−２４７１５５号公報、特開２００６−２３０３号公報等に記載のもの等を例示できる。
【００１８】
ナプキン１における吸収体４は、図２に示すように、パルプ繊維等の繊維材料からなる繊維集合体又は該繊維集合体に高吸水性ポリマーを保持させてなる吸収性コア４１と、吸収性コア４１の上下両面を被覆するコアラップシート４８とからなる。コアラップシート４８は、吸収性コア４１の形成材料の漏れ出しを防止したり、吸収体の保形性を高める目的で使用される。コアラップシートとしては、ティッシュペーパーや透水性の不織布等が用いられる。表面シート２と、吸収性コア４１の肌対向面側を被覆するコアラップシート４８との間は、ドット、スパイラル、ストライプ等のパターン塗工された接着剤により互いに接合されていることが好ましい。
【００１９】
吸収性コア４１は、相対的に坪量が高く非肌対向面側に向けて突出する突出部４３を形成している高坪量部４２と、高坪量部４２に隣接し、かつ相対的に坪量が低く、肌対向面側に凹部４５を形成している低坪量部４４とを有している。本実施形態においては、この低坪量部４４が、吸収体の隙間構造となる。吸収体の隙間構造は、吸収体をその部位に沿って折れ曲がり易くするものであり、吸収体や吸収性コアに形成したスリットでも良いが、本実施形態におけるように、高坪量部４２どうし間に形成した低坪量部４４であることが隣接する高坪量部４２と高坪量部４２をつなぎ高坪量部４２どうしが着用中に離間し吸収性コア４１が破断することを防止する観点、着用中に使用者の足部からかかる圧縮力により吸収性コア４１がよれることを防止する観点から好ましい。
【００２０】
第１実施形態における吸収性コア４１は、図２に示すように、高坪量部４２と低坪量部４４とに亘って連続する連続層４６を有する一方、高坪量部４２が、その連続層４６から裏面シート側に突出する突出部４３を形成しており、第１実施形態における吸収性コア４１は、非肌対向面側が凹凸形状を有する一方、肌対向面側が平坦となっている。
【００２１】
より詳細に説明すると、図４に示すように、吸収性コア４１は、第１線状圧搾凹部２１ａに対応する隙間構造として、第１線状圧搾凹部２１ａと平行に且つ第１線状圧搾凹部２１ａと重ならずに連続して延びる第１線状低坪量部４４ａを有している。第１線状低坪量部４４ａは、図４に示すように、吸収体４の平面視において、２本の第１線状圧搾凹部４４ａ，４４ａ間に位置しており、第１線状圧搾凹部４４ａ，４４ａ間に位置する前記凸部部分２４と重なっている。
また、吸収性コア４１は、第２線状圧搾凹部２１ｂに対応する隙間構造として、第２線状圧搾凹部２１ｂと平行に且つ第２線状圧搾凹部２１ｂと重ならずに連続して延びる第２線状低坪量部４４ｂを有している。第２線状低坪量部４４ｂは、図４に示すように、吸収体４の平面視において、２本の第２線状圧搾凹部４４ｂ，４４ｂ間に位置しており、第２線状圧搾凹部４４ｂ，４４ｂ間に位置する前記凸部部分２４と重なっている。
【００２２】
複数本の第１線状低坪量部４４ａと複数本の第２線状低坪量部４４ｂとは格子状に交差しており、その格子の目の部分に高坪量部４２が位置している。第１線状低坪量部４４ａは、複数本の第１線状低坪量部４４ｂと交差して、ナプキン１の長手方向中心線ＣＬに対して斜め方向に連続して延びており、第２線状低坪量部４４ｂも、複数本の第１線状低坪量部４４ａと交差して、ナプキン１の長手方向中心線ＣＬに対して斜め方向に連続して延びている。また、第１線状低坪量部４４ａは、第１線状圧搾凹部２１ａと同様に、ナプキンの前方から後方に向かうに連れて吸収体４の幅方向の一端（右端）に近づくように傾斜しているのに対して、第２線状低坪量部４４ｂは、第２線状圧搾凹部２１ｂと同様に、ナプキンの前方から後方に向かうに連れて該吸収体４の幅方向の他端（左端）に近づくように傾斜している。
【００２３】
本実施形態においては、高坪量部４２及び突出部４３の平面視形状は、吸収体４の全域に亘ってほぼ同じ形状であり、平面視して菱形を有している。また、ナプキン１の長手方向における長さが、横方向における長さよりも長くなっている。
吸収性コア４１の線状の低坪量部４４（吸収体の隙間構造）の幅Ｗ３は、確実に低坪量部４４を基軸として吸収性コア４１が折れ曲がること、隣接する高坪量部４２間で吸収した体液が移行することを両立する観点から、低坪量部４４の幅Ｗ３は、０．５ｍｍ以上５．０ｍｍ以下が好ましく、特に１．０ｍｍ以上３．０ｍｍ以下が好ましい。また、低坪量部４４を基軸にナプキン１が折れ曲がるときにナプキン１の表面にしわが発生することより高いレベルで防止する観点から、吸収性コア４の線状の低坪量部４４（吸収体の隙間構造）の幅Ｗ３は、その両側に位置する線状の圧搾凹部２１，２１どうし間の距離Ｗ２よりも十分に小さいことが必要である。当該幅Ｗ３は距離Ｗ２の好ましくは１０％以下、より好ましくは５％以下であり、また、好ましくは０．５％以上、より好ましくは１％以上である。
【００２４】
また、吸収性コア４１の線状の低坪量部４４（吸収体の隙間構造）は、低坪量部４４を基軸にナプキン１が折れ曲がるときにナプキン１の表面でしわが発生することを防止する観点から、低坪量部４４の肌当接面側には表面シート２の凸部部分２４が形成されていることが必要となる。しわの発生をより高いレベルで抑制するために、吸収性コア４の線状の低坪量部４４は、その両側に位置する線状の圧搾凹部２１，２１のそれぞれから離間した位置に形成されていることが好ましい。線状の低坪量部４４から最も近い線状の圧搾凹部２１までの距離をＷ４とすると、距離Ｗ４は線状の圧搾凹部２１，２１どうし間の距離Ｗ２の好ましくは３０〜７０％、より好ましくは４０〜６０％である。図４に示す形態では、線状の低坪量部４４から最も近い線状の圧搾凹部２１までの距離Ｗ４が、線状の圧搾凹部２１,２１どうし間の距離Ｗ２の５０％となる形態である。
【００２５】
本実施形態のナプキン１においては、ナプキン１の長手方向は、吸収体４の長手方向及び吸収性コア４１の長手方向と一致しており、ナプキン１の幅方向は、吸収体４の幅方向及び吸収性コア４１の幅方向と一致している。第１線状圧搾凹部２１ａの幅と第２線状圧搾凹部２１ｂの幅とは、同じであってもよいし、異なっていてもよい。第１線状低坪量部４４ａの幅と第２線状低坪量部４４ｂの幅も、同じであってもよいし、異なっていてもよい。
【００２６】
本実施形態のナプキン１における最適な条件は、第１線状低坪量部４４ａから最も近い第１線状圧搾凹部２１ａとの距離Ｗ４ａが第１線状圧搾凹部２１ａ,２１ａどうし間の距離Ｗ２ａの５０％であり、且つ第２線状低坪量部４４ｂから最も近い第２線状圧搾凹部２１ｂとの距離Ｗ４ｂが第１線状圧搾凹部２１ｂ,２１ｂどうし間の距離Ｗ２ｂの５０％となる形態である。この条件を満たす形態では、吸収性コア４のうち最も折れ曲がりやすい第１線状低坪量部４４ａと第２線状低坪量部４４ｂが交差する点４９の肌当接面側に、表面シート２のうち最も厚みが高い凸状部分２４の頂点２９が位置する。このような配置にすることで表面シート２にしわが発生することを最も効率よく防止することができる。
【００２７】
高坪量部４２の坪量と低坪量部４４の坪量との比（高／低）は、好ましくは２〜２０、さらに好ましくは３〜１０である。高坪量部４２自体の坪量は、好ましくは５０〜５００ｇ／ｍ2、更に好ましくは１００〜４００ｇ／ｍ2である。低坪量部４４に関しては、好ましくは５〜２００ｇ／ｍ2、更に好ましくは１０〜１５０ｇ／ｍ2である。
坪量は、下記の方法で測定することができる。
吸収性コア４１における高坪量部４２と低坪量部４４の境界線に沿ってフェザー社製片刃剃刀を用いて切断する。切断して得られた高坪量部４２の小片について、重量を電子天秤(Ａ＆Ｄ社製電子天秤ＧＲ−３００、精度：小数点以下４桁)を用いて測定する。求めた重量を高坪量部４２の小片の面積で除して小片の坪量を算出する。小片５個の坪量の平均を高坪量部４２の坪量とする。低坪量部４４についても同様にして得た低坪量部４４の小片について、重量を電子天秤(Ａ＆Ｄ社製電子天秤ＧＲ−３００、精度：小数点以下４桁)を用いて測定し、求めた重量を低坪量部４４の小片の面積で除して小片の坪量を算出する。小片５個の坪量の平均を低坪量部４４の坪量とする。
【００２８】
第１実施形態における高坪量部４２と低坪量部４４とは一体成形されている。「一体成形されている」とは、これらの部位が、接着剤や熱融着等の接合手段を介さずに一体化されていることを意味する。これらの部位が一体成形されていると、体液がスムーズに移動し得る連続性を有するようになる。
【００２９】
本実施形態のナプキン１によれば、吸収体４が低坪量部４４（隙間構造）の存在により柔軟に折れ曲がり易く、身体の凹凸形状や身体の動きに対する追従変形性に優れる上に、図２に示すように、表面シート２における厚みの厚い凸部部分２４が、吸収体４の折れ曲がり易い低坪量部４４（隙間構造）と重なっているため、吸収体４が柔軟に変形しても、表面シート２にシワが発生しにくい。また、表面シート２は、吸収体４の低坪量部４４（隙間構造）と平行な圧搾凹部２１を有しており、それにより、吸収体４の変形に追随して変形し易く、ヨレも生じにくくなる。
しかも、表面シート２は、圧搾凹部２１と凸部部分２４とで坪量を同じにしながら、圧搾凹部２１における密度を凸部部分２４における密度より高密度としてあるため、凸部部分２４の坪量が圧搾凹部２１の坪量よりも高い場合に比べて、凸部部分２４から圧搾凹部２１への液の引き込み性に優れ、表面シート２の圧搾凹部が基軸となり着用者の体の動きに沿って変形し、且つ体の動きによる外力が除荷された後元の形状へと復元するために、体の動きに追従しやすくフィット性に優れるとともに、表面にしわを発生させにくく、しわによる着用者が感じる不快感を取り除くことができることから、一層優れた生理用ナプキンとなる。
【００３０】
また、吸収体４に隙間構造として、スリットではなく、高坪量部４２に挟まれた低坪量部４４を形成してあるため、低坪量４４で液を吸収しても高坪量部４２に液を移行させることで素早く液を吸収、固定することが可能である。また一つの高坪量部４２の吸収容量を超える液が吸収された場合も、低坪量部４４を介して液が隣接する高坪量部４４に移行可能であることから、表面シート２の液残り量を低減しつつ、吸収体４の柔軟性を向上させることができる。
【００３１】
また、表面シート２の圧搾凹部として、ナプキンの長手方向中心線と平行な直線Ｌｘに対する傾斜角度θ１,θ２が４５度未満の第１及び第２線状圧搾凹部２１ａ，２１ｂを設けてあり、対応する第１及び第２線状低坪量部４４ａ，４４ｂも同様であるため、液が横方向に流れて生じる横漏れが防止され、また、液のナプキン長手方向への拡散が促進されるため、通常の装着時には使用される可能性や頻度が低い部分も効率よく活用することができる。このような効果は、図６（ａ）のように、表面シートの圧搾凹部及び吸収体の隙間として、ナプキンの長手方向中心線とそれぞれ平行な、圧搾凹部２１及び低坪量部４４を形成した場合も同様に奏される。
【００３２】
また、ナプキンの長手方向中心線と平行な直線Ｌｘに対する傾斜角度θ１,θ２が４５度未満の第１及び第２線状圧搾凹部２１ａ，２１ｂ並びにそれらに対応する第１及び第２線状低坪量部４４ａ，４４ｂを形成してあるため、可撓軸が増えて、吸収体４が、長手方向にも横方向にも変形し易くなり、生理用ナプキン等の吸収性物品がヨレにくくなる。
ナプキン１の長手方向への液の拡散性を向上させる観点から、第１線状圧搾凹部２１ａと第２線状圧搾凹部２１ｂとの交差角度αは、好ましくは９０度未満であり、より好ましくは８０度以下である。また、あらゆる体の動きに対して変形が可能であり、体の動きによる外力が除荷された後に素早く復元することを可能とする観点から、前記交差角度αは、好ましくは１０度以上、より好ましくは２０度以上である。
【００３３】
また、本実施形態のナプキン１は、図１に示すように、ナプキンの長手方向中心線ＣＬの両側それぞれに、表面シート２及び吸収体４が一体的に圧縮された防漏溝９，９を有し、吸収性物品の長手方向中心線と平行な直線Ｌｘに対する傾斜角度が４５度未満の前述した第１線状圧搾凹部２１ａ及び第２線状圧搾凹部２１ｂ並びにそのそれぞれ対応する隙間構造（第１線状低坪量部４４ａ，第２線状低坪量部４４ｂ）が、それぞれ、防漏溝９を横断して該防漏溝９の内外に延在している。これにより、漏れ防止性能を向上させつつ、防漏溝９の剛性を抑制することができ、漏れ防止性能及びフィット性等に優れた吸収性物品が得られる。
【００３４】
ナプキン１の形成材料について説明すると、裏面シート３、立体ガード形成用シート６としては、当該技術分野において従来用いられてきたものと同様のものを特に制限なく用いることができる。例えば、裏面シート３としては、としては、合成樹脂製の液不透過性フィルムや、スパンボンド−メルトブローン−スパンボンド積層不織布等の耐水圧が高い撥水性の不織布を用いることができる。また、立体ガード形成用シート６としては、耐水圧が高い撥水性の不織布、例えば、スパンボンド不織布、スパンボンド−メルトブローン−スパンボンド積層不織布等を用いることができる。
【００３５】
また、吸収体４の吸収性コア４１は、パルプ繊維等の繊維材料のみからなるものであっても良いし、繊維材料と高吸水性ポリマーとの両者を含むものであっても良い。繊維材料としては、従来、生理用ナプキンやパンティライナー、使い捨ておむつ等の吸収性物品の吸収体に用いられている各種のものを特に制限なく用いることができ、例えば、パルプ繊維、レーヨン繊維、コットン繊維等のセルロース系繊維の短繊維や、ポリエチレン等の合成繊維の短繊維等が用いられる。これらの繊維は、１種を単独で又は２種以上を組み合わせて用いることができる。また、繊維材料は、全体又は一部がパルプ繊維であることが好ましく、繊維材料中のパルプ繊維の割合は５０〜１００質量％であることが好ましく、より好ましくは８０〜１００質量％であり、更に好ましくは１００質量％である。尚、吸収性コア４１には、高吸水性ポリマー以外に、消臭剤や抗菌剤等を必要に応じて配合しても良い。また、吸収体４は、吸収性コア４１のみからなり、コアラップシートを有しないものであっても良い。
【００３６】
図５は、本発明の第２実施形態である生理用ナプキンを示す図である。
第１実施形態のナプキン１においては、図１に示すように、吸収性コア４１が、肌対向面側に、高坪量部４２と低坪量部４４とに亘って連続する連続層４６を有し、高坪量部４２が、裏面シート３側に突出する突出部４３を形成していたが、第２実施形態の生理用ナプキン１Ａにおいては、吸収性コア４１が、非肌対向面側に、高坪量部４２と低坪量部４４とに亘って連続する連続層４６を有し、高坪量部４２は、表面シート２側に突出する突出部４３を形成している点において相違する。
第１実施形態のように、肌対向面側に連続層４６を有し、非肌対向面側に突出部４３が形成されていると、吸収体の可撓軸となる凹部を起点として発生する力が、肌対向面側に連続層があることで表面材に伝わる前に力が分散するため、表面材にシワが発生しにくいという利点がある。
他方、第２実施形態のように、非肌対向面側に連続層４６を有し、肌対向面側に突出部４３が形成されていると、表面シート側に、吸収体のより密度が高い凸部がくるために、表面材から吸収体への液の移行速度が上昇し、液引き込み性が向上するという利点がある。
【００３７】
以上、本発明をその好ましい実施形態に基づき説明したが、本発明は前記実施形態に制限されない。
例えば、図１には、防漏溝９，９として、その前後端どうしが横方向に延びる溝を介して連結され、全体として環状となっているものを示したが、長手方向中心線ＣＬの両側それぞれに形成される一対の防漏溝は、互いに連結されることなく、相互に独立して形成されたものであっても良い。
また、図６（ｂ）に示すように、本発明の吸収性物品は、物品の長手方向Ｘに沿う圧搾凹部２１及び該圧搾凹部と平行な線状の低坪量部４４（隙間構造）のみを有するものであっても良いし、図６（ｂ）に示すように、物品の長手方向Ｘに対して傾斜する一方向に延びる圧搾凹部２１及び該圧搾凹部と平行な線状の低坪量部４４（隙間構造）のみを有するものであっても良いし、図６（ｃ）に示すように、吸収体には、異なる２方向に延びる２種類の第１線状低坪量部４４ａ及び第２線状低坪量部４４ｂを形成する一方、表面シート２には、何れか一方の低密度部（図示例は第２線状低坪量部４４ｂ）と平行な圧搾凹部２１のみが形成されていても良い。高坪量部と低坪量部とを有する吸収性コア４１の製造方法としては、例えば、特開２０１３−０５９３７３号公報に記載の方法等を採用することができる。
【００３８】
また、本発明の吸収性物品は、生理用ナプキンの他、パンティライナー（おりものシート）、失禁パッド等の他の吸収性物品であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である
【符号の説明】
【００３９】
１，１Ａ  生理用ナプキン（吸収性物品）
２  表面シート
２ａ  肌対向面
２１  圧搾凹部
２１ａ  第１線状圧搾凹部
２１ｂ  第２線状圧搾凹部
２２  区画領域
２３  凸部
２４  凸部部分
３  裏面シート
４  吸収体
４１  吸収性コア
４２  高坪量部
４３  突出部
４４  低坪量部
４４ａ  第１線状低坪量部
４４ｂ  第２線状低坪量部
４５  凹部
４６  連続層
４８  コアラップシート
５  吸収性本体
６  立体ガード形成用シート
７  ウイング部
８  後方フラップ部
９  防漏溝
【図１】
2015100574.tif 000003
【図２】
2015100574.tif 000004
【図３】
2015100574.tif 000005
【図４】
2015100574.tif 000006
【図５】
2015100574.tif 000007
【図６】
2015100574.tif 000008